(57)【要約】【課題】青色光が照射される時に第１部分2bと第２部分2cとの境界線Lの形状が浮かび上がってしまうのを抑制する。【解決手段】青色光および赤色光が共に透過する第１部分2bと、第１部分2bと相補形状であって、青色光が透過し、赤色光の大部分が透過しない第２部分2cとを透明シート2に設け、青色光によって励起せしめられ、赤色光によっては励起せしめられない蛍光体層3bを設けた表示装置において、第１部分2bを透過した青色光および第２部分2cを透過した青色光が蛍光体層3bに到達するように、第１部分2b、第２部分2cおよび蛍光体層3bを配列し、青色光が第１部分2bを透過する率と、青色光が第２部分2cを透過する率とがほぼ等しくなるように、第１部分2bを着色した。【選択図】図１
2008129048.tif 000002
【特許請求の範囲】
【請求項１】
第１の色の光および第２の色の光が共に透過する第１部分と、前記第１部分と相補形状であって、第１の色の光が透過し、第２の色の光の大部分が透過しない第２部分とを透明シートに設け、
第１の色の光によって励起せしめられ、第２の色の光によっては励起せしめられない蛍光体層を設けた表示装置において、
前記第１部分を透過した第１の色の光および前記第２部分を透過した第１の色の光が前記蛍光体層に到達するように、前記第１部分、前記第２部分および前記蛍光体層を配列し、
第１の色の光が前記第１部分を透過する率と、第１の色の光が前記第２部分を透過する率とがほぼ等しくなるように、前記第１部分を着色したことを特徴とする表示装置。
【請求項２】
第１の色の光が前記第１部分を透過する率と、第１の色の光が前記第２部分を透過する率との差分が、第１の色の光が前記第２部分を透過する率の約３％以下になるように、前記第１部分を着色したことを特徴とする請求項１に記載の表示装置。
【請求項３】
前記第１部分を第２の色の光と同系の色によって着色したことを特徴とする請求項１又は２に記載の表示装置。
【請求項４】
前記第１部分の縁部に着色しない領域を設けたことを特徴とする請求項１〜３のいずれか一項に記載の表示装置。
【発明の詳細な説明】
【技術分野】
【０００１】
本発明は、第１の色の光および第２の色の光が共に透過する第１部分と、第１部分と相補形状であって、第１の色の光が透過し、第２の色の光の大部分が透過しない第２部分とが透明シートに設けられ、更に、第１の色の光によって励起せしめられ、第２の色の光によっては励起せしめられない蛍光体層が設けられた表示装置に関し、特には、第１の色の光が照射される時に第１部分と第２部分との境界線の形状が浮かび上がってしまうのを抑制することができる表示装置に関する。
【背景技術】
【０００２】
従来から、青色光および赤色光が共に透過する第１部分と、第１部分と相補形状であって、青色光が透過し、赤色光の大部分が透過しない第２部分とが透明シート（透明パネル）に設けられ、更に、青色光によって励起せしめられ、赤色光によっては励起せしめられない蛍光体層が設けられた表示装置が知られている。この種の表示装置の例としては、例えば特開２００４−８５８２２号公報の図４に記載されたものがある。
【０００３】
特開２００４−８５８２２号公報の図４に記載された表示装置では、青色光が透過し、赤色光の大部分が透過しない第２部分として、「Ａ」形状の青色系塗料層が、透明シート（透明パネル）の両面のうち、光源側の面に形成されている。また、第２部分と相補形状であって、青色光および赤色光が共に透過する第１部分として、透明シート（透明パネル）の光源側の面の無垢の部分（塗料層が形成されていない部分）が残されている。
【０００４】
更に、特開２００４−８５８２２号公報の図４に記載された表示装置では、青色光によって励起せしめられ、赤色光によっては励起せしめられない「Ａ」形状の蛍光体層が、透明シート（透明パネル）と、「Ａ」形状の青色系塗料層との間に設けられている。
【０００５】
つまり、特開２００４−８５８２２号公報の図４に記載された表示装置では、第２部分としての青色系塗料層の形状と、蛍光体層の形状とが、完全に一致せしめられ、青色系塗料層と蛍光体層とが、互いにはみ出すことのないように、積層されている。
【０００６】
そのため、特開２００４−８５８２２号公報の図４に記載された表示装置では、光源から青色光が照射される時に、蛍光体層が「Ａ」形状の白色に見え、その周りの第１部分が青色に見える。一方、光源から赤色光が照射される時には、蛍光体層が「Ａ」形状の黒色に見え、その周りの第１部分が赤色に見える。
【０００７】
【特許文献１】特開２００４−８５８２２号公報の図４
【発明の開示】
【発明が解決しようとする課題】
【０００８】
ところで、特開２００４−８５８２２号公報の図４に記載された表示装置では、上述したように、青色光が透過し、赤色光の大部分が透過しない第２部分としての青色系塗料層の形状と、青色光によって励起せしめられ、赤色光によっては励起せしめられない蛍光体層の形状とが、完全に一致せしめられている。そのため、特開２００４−８５８２２号公報の図４に記載された表示装置では、上述したように、光源から青色光が照射される時に浮かび上がって見える白色の部分の形状と、光源から赤色光が照射される時に浮かび上がって見える黒色の部分の形状とが全く同一の「Ａ」形状になっている。
【０００９】
顧客のニーズ等を考慮すると、特開２００４−８５８２２号公報の図４に記載された表示装置のように、光源から青色光が照射される時に浮かび上がって見える部分の形状と、光源から赤色光が照射される時に浮かび上がって見える部分の形状とを全く同一にするのではなく、それらを異ならせる方が好ましいと考えられる。
【００１０】
光源から青色光が照射される時に浮かび上がって見える部分の形状と、光源から赤色光が照射される時に浮かび上がって見える部分の形状とを異ならせるためには、例えば青色光によって励起せしめられ、赤色光によっては励起せしめられない蛍光体層の形状と、青色光および赤色光が共に透過する第１部分の形状とを異ならせる方法が考えられる。
【００１１】
そこで、本発明者は、青色光によって励起せしめられ、赤色光によっては励起せしめられない蛍光体層の形状と、青色光および赤色光が共に透過する第１部分の形状とを異ならせた表示装置について鋭意研究を行った。
【００１２】
研究の結果、青色光によって励起せしめられ、赤色光によっては励起せしめられない蛍光体層の形状と、青色光および赤色光が共に透過する第１部分の形状とを異ならせると、光源から赤色光が照射される時に、第１部分の形状を鮮明に浮かび上がらせることができるものの、光源から青色光が照射される時に、蛍光体層の形状を鮮明に浮かび上がらせることができない場合があることが判った。
【００１３】
詳細には、青色光および赤色光が共に透過する第１部分と、青色光が透過し、赤色光の大部分が透過しない第２部分との境界線と、蛍光体層とが重複するように、第１部分、第２部分および蛍光体層を配列すると、光源から青色光が照射される時に、蛍光体層の形状が浮かび上がるのみならず、青色光および赤色光が共に透過する第１部分と、青色光が透過し、赤色光の大部分が透過しない第２部分との境界線の形状も浮かび上がってしまうことが判った。
【００１４】
換言すれば、光源から青色光が照射される時に、第１部分を透過した青色光および第２部分を透過した青色光が蛍光体層に到達するように、第１部分、第２部分および蛍光体層を配列すると、蛍光体層の形状が浮かび上がるのみならず、第１部分と第２部分との境界線の形状も浮かび上がってしまうことが判った。
【００１５】
そこで、本発明者はこの原因について更に研究を行った。研究の結果、特開２００４−８５８２２号公報の図４に記載された表示装置のように、青色光および赤色光が共に透過する第１部分として、透明シート（透明パネル）の光源側の面に残された無垢の部分を用い、青色光が透過し、赤色光の大部分が透過しない第２部分として青色系塗料層を用いると、青色光が第１部分を透過する率が、青色光が第２部分を透過する率よりもかなり高くなってしまうことが、原因であると判った。
【００１６】
そのため、本発明者は、青色光が第１部分を透過する率と、青色光が第２部分を透過する率とをほぼ等しくするための方法について、更に研究を行った。研究の結果、本発明者は、例えば赤色系塗料層を形成することなどによって第１部分を着色すると、第１部分として透明シート（透明パネル）の無垢の部分が用いられる場合よりも、青色光が第１部分を透過する率が低下し、それにより、青色光が第１部分を透過する率と、青色光が第２部分を透過する率とがほぼ等しくなることを見出したのである。
【００１７】
本発明者の研究では、第１部分を着色し、青色光が第１部分を透過する率と、青色光が第２部分を透過する率とをほぼ等しくすることにより、光源から青色光が照射される時に第１部分と第２部分との境界線の形状が浮かび上がってしまうのを抑制することができた。
【００１８】
つまり、本発明は、第１の色の光が照射される時に、第１の色の光および第２の色の光が共に透過する第１部分と、第１部分と相補形状であって、第１の色の光が透過し、第２の色の光の大部分が透過しない第２部分との境界線の形状が浮かび上がってしまうのを抑制することができる表示装置を提供することを目的とする。
【課題を解決するための手段】
【００１９】
請求項１に記載の発明によれば、第１の色の光および第２の色の光が共に透過する第１部分と、前記第１部分と相補形状であって、第１の色の光が透過し、第２の色の光の大部分が透過しない第２部分とを透明シートに設け、第１の色の光によって励起せしめられ、第２の色の光によっては励起せしめられない蛍光体層を設けた表示装置において、前記第１部分を透過した第１の色の光および前記第２部分を透過した第１の色の光が前記蛍光体層に到達するように、前記第１部分、前記第２部分および前記蛍光体層を配列し、第１の色の光が前記第１部分を透過する率と、第１の色の光が前記第２部分を透過する率とがほぼ等しくなるように、前記第１部分を着色したことを特徴とする表示装置が提供される。
【００２０】
請求項２に記載の発明によれば、第１の色の光が前記第１部分を透過する率と、第１の色の光が前記第２部分を透過する率との差分が、第１の色の光が前記第２部分を透過する率の約３％以下になるように、前記第１部分を着色したことを特徴とする請求項１に記載の表示装置が提供される。
【００２１】
請求項３に記載の発明によれば、前記第１部分を第２の色の光と同系の色によって着色したことを特徴とする請求項１又は２に記載の表示装置が提供される。
【００２２】
請求項４に記載の発明によれば、前記第１部分の縁部に着色しない領域を設けたことを特徴とする請求項１〜３のいずれか一項に記載の表示装置が提供される。
【発明の効果】
【００２３】
請求項１及び２に記載の表示装置では、第１の色の光および第２の色の光が共に透過する第１部分と、第１部分と相補形状であって、第１の色の光が透過し、第２の色の光の大部分が透過しない第２部分とが透明シートに設けられている。更に、第１の色の光によって励起せしめられ、第２の色の光によっては励起せしめられない蛍光体層が設けられている。そのため、請求項１及び２に記載の表示装置によれば、第１の色の光が照射される時に、蛍光体層の形状を浮かび上がらせて見せることができ、第２の色の光が照射される時に、第１部分の形状を浮かび上がらせて見せることができる。
【００２４】
更に、請求項１及び２に記載の表示装置では、第１部分を透過した第１の色の光および第２部分を透過した第１の色の光が蛍光体層に到達するように、第１部分、第２部分および蛍光体層が配列されている。換言すれば、請求項１及び２に記載の表示装置では、蛍光体層の形状と第１部分の形状とが異ならされている。そのため、請求項１及び２に記載の表示装置によれば、第１の色の光が照射される時に浮かび上がって見える部分の形状と、第２の色の光が照射される時に浮かび上がって見える部分の形状とを異ならせることができる。
【００２５】
一方で、請求項１及び２に記載の表示装置では、上述したように、第１部分を透過した第１の色の光および第２部分を透過した第１の色の光が蛍光体層に到達するように、第１部分、第２部分および蛍光体層が配列されているため、第１の色の光が照射される時に、第１部分と第２部分との境界線の形状が浮かび上がってしまうおそれがある。
【００２６】
そこで、請求項１及び２に記載の表示装置では、第１の色の光が第１部分を透過する率と、第１の色の光が第２部分を透過する率とがほぼ等しくなるように、第１部分が着色されている。
【００２７】
詳細には、請求項１及び２に記載の表示装置では、第１の色の光が第１部分を透過する率と、第１の色の光が第２部分を透過する率との差分が、第１の色の光が第２部分を透過する率の約３％以下になるように、第１部分が着色されている。
【００２８】
そのため、請求項１及び２に記載の表示装置によれば、第１の色の光が照射される時に第１部分と第２部分との境界線の形状が浮かび上がってしまうのを抑制することができる。つまり、請求項１及び２に記載の表示装置によれば、第１の色の光が照射される時に、第１の色の光および第２の色の光が共に透過する第１部分と、第１部分と相補形状であって、第１の色の光が透過し、第２の色の光の大部分が透過しない第２部分との境界線の形状が浮かび上がってしまうのを抑制することができる。
【００２９】
第１の色の光が第１部分を透過する率と、第１の色の光が第２部分を透過する率とがほぼ等しくなるように、第１部分を着色すると、第１の色の光が照射される時に第１部分と第２部分との境界線の形状が浮かび上がってしまうのを抑制することができるものの、第２の色の光が第１部分を透過する率が低下してしまい、その結果、第２の色の光が照射される時に第１部分の形状が浮かび上がる度合いが低下してしまうおそれがある。
【００３０】
この点に鑑み、請求項３に記載の表示装置では、第１部分が第２の色の光と同系の色によって着色されている。
【００３１】
そのため、請求項３に記載の表示装置によれば、第１部分が着色されるのに伴って、第２の色の光が第１部分を透過する率が低下してしまうおそれを低減することができる。つまり、請求項３に記載の表示装置によれば、第２の色の光が第１部分を透過する率が低下するのに伴って、第２の色の光が照射される時に第１部分の形状が浮かび上がる度合いが低下してしまうおそれを低減することができる。
【００３２】
すなわち、請求項３に記載の表示装置によれば、第１の色の光が照射される時に、第１部分と第２部分との境界線の形状が浮かび上がってしまうのを抑制しつつ、第２の色の光が照射される時に、第１部分が着色されていない場合とほぼ同程度に第１部分の形状を浮かび上がらせることができる。詳細には、請求項３に記載の表示装置では、例えば第１の色と第２の色とが互いに補色の関係を有し、第１の色と第２の色とを混色することにより、無彩色になるように、第１の色および第２の色が選定されている。
【００３３】
第１部分を着色するために例えば第１部分に形成された塗料層が第２部分にはみ出してしまうと、そのはみ出した部分を第１の色の光が透過する率が、他の部分を第１の色の光が透過する率に比べて極端に低くなってしまい、その結果、第１の色の光が照射される時に、そのはみ出した部分が目立ってしまうおそれがある。
【００３４】
この点に鑑み、請求項４に記載の表示装置では、着色しない領域が第１部分の縁部に設けられている。つまり、請求項４に記載の表示装置では、第１部分の中央部が着色され、第１部分の縁部が着色されない。そのため、請求項４に記載の表示装置によれば、第２部分にはみ出して着色されてしまうのに伴って、第１の色の光が照射される時に、そのはみ出した部分が目立ってしまうおそれを回避することができる。
【発明を実施するための最良の形態】
【００３５】
以下、本発明の表示装置の第１の実施形態について説明する。図１は第１の実施形態の表示装置の分解斜視図である。図１において、１は例えばＬＥＤのような光源を示している。第１の実施形態の表示装置では、光源１が青色光および赤色光を選択的に照射可能に構成されているが、第２の実施形態の表示装置では、代わりに、青色光を照射するための光源と、赤色光を照射するための光源とを別個に設けることも可能である。
【００３６】
また、図１において、２は光源１からの光が照射される透明シートを示しており、３は透明シート２を透過した光が照射される透明シートを示している。２ａは透明シート２の一部を構成している無色透明のベース部を示している。２ｂはベース部２ａ上に配置された例えば「Ｅ」形状の第１部分を示している。２ｃは「Ｅ」形状の第１部分２ｂと相補形状の第２部分を示している。３ａは透明シート３の一部を構成している無色透明のベース部を示している。３ｂはベース部３ａ上に形成された例えば「Ａ」形状の蛍光体層を示している。第１の実施形態の表示装置では、蛍光体層３ｂが、青色光によって励起せしめられ、赤色光によっては励起せしめられない。
【００３７】
第１の実施形態の表示装置では、図１に示すように、第１部分２ｂおよび第２部分２ｃが、ベース部２ａの両面のうち、光源１の反対側（図１の上側）の面に配置されているが、第３の実施形態の表示装置では、代わりに、第１部分２ｂおよび第２部分２ｃを、ベース部２ａの両面のうち、光源１の側（図１の下側）の面に配置することも可能である。
【００３８】
また、第１の実施形態の表示装置では、図１に示すように、蛍光体層３ｂが、ベース部３ａの両面のうち、光源１の反対側（図１の上側）の面に形成されているが、第４の実施形態の表示装置では、代わりに、蛍光体層３ｂを、ベース部３ａの両面のうち、光源１の側（図１の下側）の面に形成することも可能である。
【００３９】
更に、第１の実施形態の表示装置では、図１に示すように、蛍光体層３ｂが、透明シート２とは別個の透明シート３に設けられているが、第５の実施形態の表示装置では、代わりに、蛍光体層３ｂを透明シート２に設けることも可能である。図示しないが、第５の実施形態の表示装置では、蛍光体層３ｂが、第１部分２ｂおよび第２部分２ｃを隔てて光源１の反対側（図１の上側）に配置されている。つまり、第５の実施形態の表示装置においても、第１の実施形態の表示装置と同様に、透明シート２の第１部分２ｂを透過した光、および、第２部分２ｃを透過した光が、蛍光体層３ｂに照射される。
【００４０】
図２は第１の実施形態の表示装置の透明シート２の部品図である。詳細には、図２（Ａ）は透明シート２を図１の上側から見た平面図、図２（Ｂ）は図２（Ａ）のＡ−Ａ断面図である。図２において、２ｂ１は第１部分２ｂの中央部を示しており、２ｂ２は第１部分２ｂの縁部を示している。
【００４１】
第１の実施形態の表示装置では、図２（Ａ）および図２（Ｂ）に示すように、第１部分２ｂの中央部２ｂ１として、青色光および赤色光が共に透過可能な薄い赤色系塗料層がベース部２ａ上に形成されている。また、第１部分２ｂの縁部２ｂ２として、ベース部２ａの無垢の部分が残されている。つまり、第１部分２ｂの縁部２ｂ２には、塗料層が形成されていない。そのため、青色光および赤色光は共に第１部分２ｂの縁部２ｂ２を透過することができる。更に、第１の実施形態の表示装置では、第２部分２ｃとして、青色光が透過可能であって、赤色光の大部分が透過することができない青色系塗料層がベース部２ａ上に形成されている。
【００４２】
第１の実施形態の表示装置では、青色光が第１部分２ｂの中央部２ｂ１の薄い赤色系塗料層を透過する率と、青色光が第２部分２ｃの青色系塗料層を透過する率とがほぼ等しくなるように、第１部分２ｂの中央部２ｂ１の薄い赤色系塗料層の濃淡が設定されている。詳細には、第１の実施形態の表示装置では、青色光が第１部分２ｂの中央部２ｂ１の薄い赤色系塗料層を透過する率と、青色光が第２部分２ｃの青色系塗料層を透過する率との差分が、青色光が第２部分２ｃの青色系塗料層を透過する率の約３％以下になるように、第１部分２ｂの中央部２ｂ１の薄い赤色系塗料層の濃淡が設定されている。
【００４３】
図３は第１の実施形態の表示装置の透明シート３の部品図である。詳細には、図３（Ａ）は透明シート３を図１の上側から見た平面図、図３（Ｂ）は図３（Ａ）のＢ−Ｂ断面図である。
【００４４】
図４は図１の上側から見た時の第１部分２ｂ、第２部分２ｃおよび蛍光体層３ｂの位置関係を示した図である。詳細には、図４（Ａ）は図１の上側から見た時の第１部分２ｂを破線で示し、蛍光体層３ｂを実線で示した図である。図４（Ｂ）は図１の上側から見た時に、第１部分２ｂと蛍光体層３ｂとが重複する領域Ｐと、第２部分２ｃと蛍光体層３ｂとが重複する領域Ｑとを示した図である。図４（Ｃ）は図１の上側から見た時に、蛍光体層３ｂと重複する第１部分２ｂと第２部分２ｃとの境界線Ｌを示した図である。
【００４５】
第１の実施形態の表示装置では、図１および図４に示すように、青色光および赤色光が共に透過する第１部分２ｂと、第１部分２ｂと相補形状であって、第１青色光が透過し、赤色光の大部分が透過しない第２部分２ｃとが透明シート２に設けられている。更に、青色光によって励起せしめられ、赤色光によっては励起せしめられない蛍光体層３ｂが設けられている。
【００４６】
そのため、第１の実施形態の表示装置では、光源１から青色光が照射される時、第１部分２ｂを透過した青色光および第２部分２ｃを透過した青色光のうち、蛍光体層３ｂに到達した青色光によって、蛍光体層３ｂが励起せしめられる。その結果、蛍光体層３ｂが「Ａ」形状の白色に見える。また、透明シート３のうち、蛍光体層３ｂの周りの部分では、第１部分２ｂを透過した青色光および第２部分２ｃを透過した青色光が、ベース部３ａをそのまま透過する。その結果、蛍光体層３ｂの周りの部分が青色に見える。
【００４７】
一方、第１の実施形態の表示装置では、光源１から赤色光が照射される時には、第１部分２ｂを透過した赤色光が、ベース部３ａおよび蛍光体層３ｂをそのまま透過する。その結果、第１部分２ｂが「Ｅ」形状の赤色に見える。また、赤色光の大部分が第２部分２ｃを透過しない。その結果、第１部分２ｂの周りの第２部分２ｃが、黒色に見える。
【００４８】
それゆえ、第１の実施形態の表示装置によれば、光源１から青色光が照射される時に、蛍光体層３ｂの「Ａ」形状を浮かび上がらせて見せることができ、光源１から赤色光が照射される時に、第１部分２ｂの「Ｅ」形状を浮かび上がらせて見せることができる。
【００４９】
更に、第１の実施形態の表示装置では、第１部分２ｂを透過した青色光および第２部分２ｃを透過した青色光が蛍光体層３ｂに到達するように、第１部分２ｂ、第２部分２ｃおよび蛍光体層３ｂが配列されている。換言すれば、第１の実施形態の表示装置では、蛍光体層３ｂの形状（「Ａ」形状）と第１部分２ｂの形状（「Ｅ」形状）とが異ならされている。そのため、第１の実施形態の表示装置によれば、青色光が照射される時に浮かび上がって見える部分の形状（「Ａ」形状）と、赤色光が照射される時に浮かび上がって見える部分の形状（「Ｅ」形状）とを異ならせることができる。
【００５０】
一方で、第１の実施形態の表示装置では、上述したように、第１部分２ｂを透過した青色光および第２部分２ｃを透過した青色光が蛍光体層３ｂに到達するように、第１部分２ｂ、第２部分２ｃおよび蛍光体層３ｂが配列されているため、青色光が照射される時に、第１部分２ｂと第２部分２ｃとの境界線Ｌ（図４（Ａ）および図４（Ｃ）参照）の形状が浮かび上がってしまうおそれがある。同様に、透明シート３のうち、蛍光体層３ｂ以外の部分においても、青色光が照射される時に、第１部分２ｂと第２部分２ｃとの境界線（図４（Ａ））が浮かび上がってしまうおそれがある。
【００５１】
そこで、第１の実施形態の表示装置では、上述したように、青色光が第１部分２ｂを透過する率と、青色光が第２部分２ｃを透過する率とがほぼ等しくなるように、第１部分２ｂが薄い赤色系塗料によって着色されている。詳細には、上述したように、青色光が第１部分２ｂを透過する率と、青色光が第２部分２ｃを透過する率との差分が、青色光が第２部分２ｃを透過する率の約３％以下になるように、第１部分２ｂが薄い赤色系塗料によって着色されている。そのため、第１の実施形態の表示装置によれば、青色光が照射される時に、第１部分２ｂと第２部分２ｃとの境界線Ｌの形状が浮かび上がってしまうのを抑制することができる。つまり、第１の実施形態の表示装置によれば、青色光が照射される時に、領域Ｐと領域Ｑ（図４（Ｂ）参照）とで濃淡の差が生じてしまうのを抑制することができる。同様に、第１の実施形態の表示装置によれば、透明シート３のうち、蛍光体層３ｂ以外の部分においても、青色光が照射される時に、第１部分２ｂと第２部分２ｃとの境界線が浮かび上がってしまうのを抑制することができる。
【００５２】
第１の実施形態の表示装置では、光源１から青色光および赤色光が照射され、第１部分２ｂが薄い赤色系塗料によって着色され、第２部分２ｃが青色系塗料によって着色され、蛍光体層３ｂが、青色光によって励起せしめられ、赤色光によって励起せしめられないが、第６の実施形態の表示装置では、代わりに、任意の第１の色の光および任意の第２の色の光を光源１から照射し、第１の色の光および第２の色の光が共に透過するように第１部分２ｂを任意の色によって着色し、第１の色の光が透過し、第２の色の光の大部分が透過しないように第２部分２ｃを任意の色によって着色し、第１の色の光によって励起せしめられ、第２の色の光によって励起せしめられないように蛍光体層３ｂを構成し、第１の色の光が第１部分２ｂを透過する率と、第１の色の光が第２部分２ｃを透過する率とがほぼ等しくなるようにすることも可能である。第６の実施形態の表示装置では、第１の色と第２の色とが互いに補色の関係を有し、第１の色と第２の色とを混色することにより、無彩色になるように、第１の色および第２の色が選定されている。また、第６の実施形態の表示装置では、第１の色と第１部分２ｂの色とが互いに補色の関係を有し、第１の色と第１部分２ｂの色とを混色することにより、無彩色になるように、第１の色および第１部分２ｂの色が選定されている。
【００５３】
また、第１の実施形態の表示装置では、第１部分２ｂが「Ｅ」形状にされ、第２部分２ｃが「Ｅ」形状と相補形状にされ、蛍光体層３ｂが「Ａ」形状にされているが、第７の実施形態の表示装置では、代わりに、第１部分２ｂを任意の形状にし、第２部分２ｃを第１部分２ｂと相補形状にし、蛍光体層３ｂを第１部分２ｂとは異なる任意の形状にすることも可能である。
【００５４】
上述したように、青色光が第１部分２ｂを透過する率と、青色光が第２部分２ｃを透過する率とがほぼ等しくなるように、第１部分２ｂを着色すると、青色光が照射される時に第１部分２ｂと第２部分２ｃとの境界線の形状が浮かび上がってしまうのを抑制することができるものの、第１部分２ｂを着色する色によっては、赤色光が第１部分２ｂを透過する率が低下してしまい、その結果、赤色光が照射される時に、第１部分２ｂの「Ｅ」形状が浮かび上がる度合いが低下してしまうおそれがある。
【００５５】
この点に鑑み、第１の実施形態の表示装置では、第１部分２ｂが赤色光と同系の薄い赤色系塗料によって着色されている。そのため、第１の実施形態の表示装置によれば、第１部分２ｂが着色されるのに伴って、赤色光が第１部分２ｂを透過する率が低下してしまうおそれを低減することができる。つまり、第１の実施形態の表示装置によれば、赤色光が第１部分２ｂを透過する率が低下するのに伴って、赤色光が照射される時に、第１部分２ｂの形状が浮かび上がる度合いが低下してしまうおそれを低減することができる。
【００５６】
すなわち、第１の実施形態の表示装置によれば、青色光が照射される時に、第１部分２ｂと第２部分２ｃとの境界線Ｌの形状が浮かび上がってしまうのを抑制しつつ、赤色光が照射される時に、第１部分２ｂが着色されていない場合（無垢のまま残されている場合）とほぼ同程度に第１部分２ｂの「Ｅ」形状を浮かび上がらせることができる。
【００５７】
第１部分２ｂの着色時に第１部分２ｂの薄い赤色系塗料層が第２部分２ｃにはみ出してしまうと、そのはみ出した部分（つまり、第１部分２ｂの薄い赤色系塗料層と第２部分２ｃの青色系塗料層とが重複した部分）を青色光が透過する率が、第１部分２ｂの薄い赤色系塗料層を青色光が透過する率、および、第２部分２ｃの青色系塗料層を青色光が透過する率に比べて極端に低くなってしまい、その結果、青色光が照射される時に、そのはみ出した部分（重複した部分）が目立ってしまうおそれがある。
【００５８】
この点に鑑み、第１の実施形態の表示装置では、図２に示すように、着色しない領域が第１部分２ｂの縁部２ｂ２に設けられている。つまり、第１の実施形態の表示装置では、第１部分２ｂの中央部２ｂ１が薄い赤色系塗料によって着色され、第１部分２ｂの縁部２ｂ２が着色されない。そのため、第１の実施形態の表示装置によれば、第２部分２ｃにはみ出して（重複して）薄い赤色系塗料が着色されてしまうのに伴って、青色光が照射される時に、そのはみ出した部分（重複した部分）が目立ってしまうおそれを回避することができる。
【００５９】
第８の実施形態では、上述した第１から第７の実施形態を適宜組み合わせることも可能である。
【図面の簡単な説明】
【００６０】
【図１】第１の実施形態の表示装置の分解斜視図である。
【図２】第１の実施形態の表示装置の透明シート２の部品図である。
【図３】第１の実施形態の表示装置の透明シート３の部品図である。
【図４】図１の上側から見た時の第１部分２ｂ、第２部分２ｃおよび蛍光体層３ｂの位置関係を示した図である。
【符号の説明】
【００６１】
１            光源
２            透明シート
２ａ          ベース部
２ｂ          第１部分
２ｂ１        中央部
２ｂ２        縁部
２ｃ          第２部分
３            透明シート
３ａ          ベース部
３ｂ          蛍光体層
【図１】
2008129048.tif 000003
【図２】
2008129048.tif 000004
【図３】
2008129048.tif 000005
【図４】
2008129048.tif 000006